(57)【要約】      （修正有）【課題】特に一般的な電気製品に電源を提供すると共に、モバイルデバイスにも充電可能なテーブルタップを提供する。【解決手段】枠体１０と、電気接続部材２０と、端子モジュールと、充電モジュールと、を有し、その内、枠体１０は、内部に収容空間を有し、表面を貫通するように少なくとも１つのソケット１１が形成され、電気接続部材２０は、枠体１０に取り付けられ、端子モジュールは、電気接続部材２０に電気接続され、枠体１０のソケット１１と対応するように収容空間に配置され、充電モジュールは、電気接続部材２０に電気接続されると共に、枠体１０の収容空間に設置され、整流作用及び変圧作用を備える基板部材、基板部材に電気接続されながら枠体１０に取り付けられる充電ケーブル４３、及び枠体１０の外部に延出するように、充電ケーブル４３に設けられる充電ヘッド４４を備える。【選択図】図１
0003197970.tif 000002
【実用新案登録請求の範囲】
【請求項１】
内部に収容空間を有し、表面を貫通するように少なくとも１つのソケットが形成される枠体と、
前記枠体に取り付けられる電気接続部材と、
前記電気接続部材に電気接続され、前記枠体のソケットと対応するように収容空間に配置される端子モジュールと、
前記電気接続部材に電気接続されると共に、前記枠体の収容空間に設置され、整流作用及び変圧作用を備える基板部材、該基板部材に電気接続されながら前記枠体に取り付けられる充電ケーブル、及び該枠体の外部に延出するように、該充電ケーブルに設けられる充電ヘッドを備える充電モジュールと、を有することを特徴とするモバイルデバイスを充電できるテーブルタップ。
【請求項２】
前記充電ケーブルを着脱可能に挟持するために、前記枠体に挟持ユニットが取り付けられることを特徴とする請求項１に記載のモバイルデバイスを充電できるテーブルタップ。
【請求項３】
前記枠体は、第一蓋部及び第二蓋部からなり、該第一蓋部と第二蓋部との間に前記収容空間が形成され、該第一蓋部に前記ソケットが形成され、また、該第一蓋部と第二蓋部との間に前記挟持ユニットが挟設されることを特徴とする請求項２に記載のモバイルデバイスを充電できるテーブルタップ。
【請求項４】
前記挟持ユニットの両端の間に細溝が凹設され、一端に２本の挟持アームが延設され、それらの挟持アームの間に挟持凹部が形成され、それらの挟持アームはそれぞれ対向するように湾曲状を呈し、それらの挟持アームにおける湾曲状の箇所の間に、挟持凹部と連通する小径口が形成され、
前記挟持ユニットは、細溝を介して枠体の第一蓋部と第二蓋部との間に挟設され、
前記充電ケーブルは、小径口を通過して挟持アームの間に位置決められることを特徴とする請求項３に記載のモバイルデバイスを充電できるテーブルタップ。
【請求項５】
前記枠体に外部へ延出する保護構造が設けられ、該保護構造に収納凹部が形成され、該収納凹部に着脱可能に前記充電ケーブルが設置されることを特徴とする請求項１に記載のモバイルデバイスを充電できるテーブルタップ。
【請求項６】
前記枠体に外部へ突出する保護構造が設けられ、該保護構造に収納凹部が形成され、該収納凹部に前記充電ケーブルが着脱可能に設置され、前記挟持ユニットが収納凹部に位置するように設置されることを特徴とする請求項２に記載のモバイルデバイスを充電できるテーブルタップ。
【請求項７】
前記枠体は、保護構造及び収納凹部を備え、そのうち保護構造は、第一凸縁及び第二凸縁を備え、該第一凸縁は第一蓋部の外周面に延設されると共に、該第二凸縁は第二蓋部の外周面に延設され、該第一凸縁と該第二凸縁との間に収納凹部が形成され、該収納凹部に前記充電ケーブルが着脱可能に設置され、前記挟持ユニットが収納凹部に位置するように設置されることを特徴とする請求項３または４に記載のモバイルデバイスを充電できるテーブルタップ。
【請求項８】
前記枠体にＵＳＢ穴が形成され、
前記充電モジュールは、少なくとも１つのＵＳＢポートを有し、該ＵＳＢポートは、基板部材に電気接続され、且つＵＳＢ穴に対応するように設置されることを特徴とする請求項１乃至６の何れか１項に記載のモバイルデバイスを充電できるテーブルタップ。
【請求項９】
前記枠体の第一蓋部にＵＳＢ穴が形成され、該ＵＳＢポートは、基板部材に電気接続され、且つＵＳＢ穴に対応するように設置されることを特徴とする請求項７に記載のモバイルデバイスを充電できるテーブルタップ。
【請求項１０】
前記端子モジュールに２つのソケット孔が間隔をおいて形成され、また、該端子モジュールは、第一端子及び第二端子を備え、そのうち第一端子は、一方のソケット孔と対応するように電気接続部材に電気接続されると共に、該第二端子は、他方のソケット孔と対応するように電気接続部材に電気接続されることを特徴とする請求項１乃至６の何れか１項に記載のモバイルデバイスを充電できるテーブルタップ。
【請求項１１】
前記端子モジュールに２つのソケット孔が間隔をおいて形成され、また、該端子モジュールは、第一端子及び第二端子を備え、そのうち第一端子は、一方のソケット孔に対応するように電気接続部材に電気接続され、該第二端子は、他方のソケット孔に対応するように電気接続部材に電気接続されることを特徴とする請求項９に記載のモバイルデバイスを充電できるテーブルタップ。
【請求項１２】
前記端子モジュールは、少なくとも１つのソケットフレームと、少なくとも１つの蓋部と、第一端子と、第二端子とを備え、その内、ソケットフレームは、枠体に固定され、該蓋部は、ソケットフレームをカバーするようにソケットに嵌合され、該蓋部に２つのソケット孔が間隔をおいて形成され、該第一端子は、蓋部の一方のソケット孔と対応するように各ソケットフレームの一側に貫設され、該第二端子は、蓋部の他方のソケット孔と対応するように、第一端子と間隔をおいて各ソケットフレームの他側に貫設されることを特徴とする請求項1乃至６の何れか１項に記載のモバイルデバイスを充電できるテーブルタップ。
【請求項１３】
前記端子モジュールは、少なくとも１つのソケットフレームと、少なくとも１つの蓋部と、第一端子と、第二端子とを備え、その内、ソケットフレームは、第二蓋部に固定され、該蓋部は、ソケットフレームをカバーするようにソケットに嵌合され、該蓋部に２つのソケット孔が間隔をおいて形成され、該第一端子は、蓋部の一方のソケット孔と対応するように各ソケットフレームの一側に貫設されると共に、電気接続部材に電気接続され、該第二端子は、蓋部の他方のソケット孔と対応するように、第一端子と間隔をおいて各ソケットフレームの他側に貫設されると共に、電気接続部材に電気接続されることを特徴とする請求項９に記載のモバイルデバイスを充電できるテーブルタップ。
【請求項１４】
前記端子モジュールは、少なくとも１つのソケットフレームと、少なくとも１つの蓋部と、第一端子と、第二端子と、第三端子とを備え、その内、ソケットフレームは、枠体に固定され、該蓋部は、ソケットフレームをカバーするようにソケットに嵌合され、該蓋部に３つのソケット孔が間隔をおいて形成され、該第一端子は、蓋部の一方のソケット孔と対応するように各ソケットフレームの一側に貫設されると共に、電気接続部材に電気接続され、該第二端子は、蓋部の他方のソケット孔と対応するように、第一端子と間隔をおいて各ソケットフレームの他側に貫設されると共に、電気接続部材に電気接続され、該第三端子は、蓋部の他のソケット孔と対応するように各ソケットフレームの他の一側に貫設されると共に、電気接続部材に電気接続されることを特徴とする請求項１乃至６の何れか1項に記載のモバイルデバイスを充電できるテーブルタップ。
【請求項１５】
前記端子モジュールは、少なくとも１つのソケットフレームと、少なくとも１つの蓋部と、第一端子と、第二端子と、第三端子とを備え、その内、ソケットフレームは、枠体に固定され、該蓋部は、ソケットフレームをカバーするようにソケットに嵌合され、該蓋部に３つのソケット孔が間隔をおいて形成され、該第一端子は、蓋部の一方のソケット孔と対応するように各ソケットフレームの一側に貫設されると共に、電気接続部材に電気接続され、該第二端子は、蓋部の他方のソケット孔と対応するように、第一端子と間隔をおいて各ソケットフレームの他側に貫設されると共に、電気接続部材に電気接続され、該第三端子は、蓋部の他のソケット孔と対応するように各ソケットフレームの他の一側に貫設されると共に、電気接続部材に電気接続されることを特徴とする請求項９に記載のモバイルデバイスを充電できるテーブルタップ。
【請求項１６】
前記枠体の第一蓋部にスイッチ穴が形成され、スイッチを有し、該スイッチは、スイッチ穴と対応するように枠体に設置されると共に、電気接続部材と端子モジュール及び充電モジュールとの間に位置するように、電気接続部材と端子モジュール及び充電モジュールに電気接続され、且つ、電気接続部材と端子モジュール及び充電モジュール４との通電又は不通電を切り替え制御することを特徴とする請求項１乃至６の何れか１項に記載のモバイルデバイスを充電できるテーブルタップ。
【請求項１７】
前記枠体の第一蓋部にスイッチ穴が形成され、
スイッチを有し、該スイッチは、スイッチ穴と対応するように枠体に設置されると共に、電気接続部材と端子モジュール及び充電モジュールとの間に位置するように、電気接続部材と端子モジュール及び充電モジュールに電気接続され、且つ、電気接続部材と端子モジュール及び充電モジュールとの通電又は不通電を切り替え制御することを特徴とする請求項９に記載のモバイルデバイスを充電できるテーブルタップ。
【請求項１８】
前記枠体の第一蓋部にスイッチ穴が形成され、
スイッチを有し、該スイッチは、スイッチ穴と対応するように枠体に設置されると共に、電気接続部材と端子モジュール及び充電モジュールとの間に位置するように、電気接続部材と端子モジュール及び充電モジュールに電気接続され、且つ、電気接続部材と端子モジュール及び充電モジュールとの通電又は不通電を切り替え制御することを特徴とする請求項１２に記載のモバイルデバイスを充電できるテーブルタップ。
【請求項１９】
前記枠体の第一蓋部にスイッチ穴が形成され、
スイッチを有し、該スイッチは、スイッチ穴と対応するように枠体に設置されると共に、電気接続部材と端子モジュール及び充電モジュールとの間に位置するように、電気接続部材と端子モジュール及び充電モジュールに電気接続され、且つ、電気接続部材と端子モジュール及び充電モジュールとの通電又は不通電を切り替え制御することを特徴とする請求項１４に記載のモバイルデバイスを充電できるテーブルタップ。
【請求項２０】
前記枠体の第一蓋部にスイッチ穴が形成され、
スイッチを有し、該スイッチは、スイッチ穴と対応するように枠体に設置されると共に、電気接続部材と端子モジュール及び充電モジュールとの間に位置するように、電気接続部材と端子モジュール及び充電モジュールに電気接続され、且つ、電気接続部材と端子モジュール及び充電モジュールとの通電又は不通電を切り替え制御することを特徴とする請求項１５に記載のモバイルデバイスを充電できるテーブルタップ。
【考案の詳細な説明】
【技術分野】
【０００１】
本考案は、特に一般的な電気製品であるモバイルデバイスに電源を提供して充電を可能とするテーブルタップに関するものである。
【背景技術】
【０００２】
頻繁に行われる通信や情報の伝達には通常、スマホやタッチパネルなどのモバイルデバイスが用いられており、それらのモバイルデバイスを使用する時は、電力を大量に消耗するので、所定の時間使用すると、モバイルデバイスのバッデリを充電しなければならない。
しかしながら、モバイルデバイス用の充電器は、一般的な電気製品と異なり、専用の電源コード及びプラグであることから、どこにいてもその専用の電源コード及びプラグを持ち歩かなくてはならない。
【考案の概要】
【考案が解決しようとする課題】
【０００３】
さらに、日常生活において、多くの電気製品を使用している場合には、モバイルデバイスの充電器だけでなく、テーブルタップを用意する必要もあるので、非常に面倒であり、また、そのモバイルデバイスの充電器の体積は小さいことから、忘れてきてしまうことが良くあった。
【課題を解決するための手段】
【０００４】
本考案のモバイルデバイスを充電できるテーブルタップは、枠体と、電気接続部材と、端子モジュールと、充電モジュールと、を有し、その内、該枠体は、内部に収容空間を有し、表面を貫通するように少なくとも１つのソケットが形成され、該電気接続部材は、枠体に取り付けられ、該端子モジュールは、電気接続部材に電気接続され、枠体のソケットと対応するように収容空間に配置され、該充電モジュールは、電気接続部材に電気接続されると共に、枠体の収容空間に設置され、整流作用及び変圧作用を備える基板部材、該基板部材に電気接続されながら該枠体に取り付けられる充電ケーブル、及び該枠体の外部に延出するように、該充電ケーブルに設けられる充電ヘッドを備えるものである。
【考案の効果】
【０００５】
本考案に係るモバイルデバイスを充電できるテーブルタップは、充電ケーブルを有する充電モジュールと、端子モジュールと、枠体とを一体に構成するため、一般的な電気製品が端子モジュールを介して電源を入れることができると共に、モバイルデバイスでは充電モジュール及び枠体を介して電源を入れることもできる。このように、本考案に係るモバイルデバイスを充電できるテーブルタップがあれば、モバイルデバイスの充電器をわざわざ持って行かなくてもよく、充電モジュールの充電ケーブルを用いれば、モバイルデバイスを充電できることから、実用性に優れている。
【図面の簡単な説明】
【０００６】
【図１】本考案に係るモバイルデバイスを充電できるテーブルタップの第一実施例の斜視図である。
【図２】図１の端面視断面図である。
【図３】本考案に係るモバイルデバイスを充電できるテーブルタップの第一実施例の部分分解斜視図である。
【図４】本考案に係るモバイルデバイスを充電できるテーブルタップの第一実施例においての使用状態を示す斜視図である。
【図５】本考案に係るモバイルデバイスを充電できるテーブルタップの第二実施例の上面視斜視図である。
【図６】本考案に係るモバイルデバイスを充電できるテーブルタップの第二実施例の下面視斜視図である。
【図７】本考案に係るモバイルデバイスを充電できるテーブルタップの第二実施例の部分分解斜視図である。
【考案を実施するための形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１及び図２に示すように、本考案に係るモバイルデバイスを充電できるテーブルタップの第一実施例は、枠体１０と、電気接続部材２０と、端子モジュール３０と、充電モジュール４０と、少なくとも1つの挟持ユニット５０と、スイッチ６０とを備える。
【０００９】
図１乃至図３に示すように、前記枠体１０は、内部に収容空間を有し、表面を貫通するように少なくとも１つのソケット１１が形成されると共に、表面を貫通するようにＵＳＢ穴１２（ＵＳＢ，  ｕｎｉｖｅｒｓａｌ  ｓｅｒｉａｌ  ｂｕｓ）、及びスイッチ穴１３が形成され、更に、外周面に外部に突出する保護構造１４が設けられ、該保護構造１４に収納凹部１５が形成される。
また、前記枠体１０は、第一蓋部１０１及び第二蓋部１０２からなり、該第一蓋部１０１と第二蓋部１０２との間に前記収容空間が形成され、前記ソケット１１、ＵＳＢ穴１２、スイッチ穴１３はそれぞれ第一蓋部１０１に形成される。一方、前記保護構造１４は、第一凸縁１４１及び第二凸縁１４２を備え、該第一凸縁１４１は第一蓋部１０１の外周面に延設され、該第二凸縁１４２は第二蓋部１０２の外周面に延設され、更に、前記収納凹部１５は、保護構造１４の第一凸縁１４１と第二凸縁１４２との間に形成される。
【００１０】
図１乃至図３に示すように、前記電気接続部材２０は、枠体１０に取り付けられ、ワイヤ２１及びプラグ２２を備え、該ワイヤ２１は、該枠体１０の一端に挿し込まれ、該プラグ２２は、ワイヤ２１と接続されると共に、枠体１０の外部に延出し、該プラグ２２は、２本の端子２２１を備え、それらの端子２２１が間隔をおいて延設される。
【００１１】
図１乃至図３に示すように、前記端子モジュール３０は、電気接続部材２０に電気接続されると共に、枠体１０のソケット１１と対応するように収容空間に嵌設され、該端子モジュール３０は、少なくとも１つのソケットフレーム３１と、少なくとも１つの蓋部３２と、第一端子３３と、第二端子３４とを備え、その内、該ソケットフレーム３１は、第二蓋部１０２に固定され、該蓋部３２は、ソケットフレーム３１をカバーするようにソケット１１に嵌合され、該蓋部３２に２つのソケット孔３２１が間隔をおいて形成され、該第一端子３３は、蓋部３２の一方のソケット孔３２１と対応するように各ソケットフレーム３１の一側に貫設され、該第二端子３４は、蓋部３２の他方のソケット孔３２１と対応するように、第一端子３３と間隔をおいて各ソケットフレーム３１の他側に貫設され、更に、それら第一端子３３及び第二端子３４はそれぞれ、ワイヤ２１と接続してプラグ２２の端子２２１と電気接続される。
【００１２】
図１乃至図３に示すように、前記充電モジュール４０は、整流作用及び変圧作用を備え、電気接続部材２０に電気接続されると共に、ＵＳＢ穴１２と対応するように枠体１０の収容空間に設置され、該充電モジュール４０は、基板部材４１と、少なくとも１つのＵＳＢポート４２と、少なくとも１つの充電ケーブル４３とを備え、その内、該基板部材４１は、整流作用及び変圧作用を備え、端子モジュール３０を介して電気接続部材２０に電気接続され、該ＵＳＢポート４２は、基板部材４１に電気接続され、ＵＳＢ穴１２と対応するように設置され、該充電ケーブル４３は、基板部材４１に電気接続すると共に、枠体１０の外部に延出し、該充電ケーブル４３の外端に充電ヘッド４４が設けられ、該充電ヘッド４４は、着脱可能に収納凹部１５に設置される。
【００１３】
図１乃至図３に示すように、前記挟持ユニット５０は、収納凹部１５に位置するように枠体１０に取り付けられ、充電ケーブル４３を着脱可能に挟持し、該挟持ユニット５０の両端の間に細溝５１が凹設され、一端に２本の挟持アーム５２が対称となるように間隔をおいて延設され、それらの挟持アーム５２の間に挟持凹部５３が形成され、それらの挟持アーム５２はそれぞれ対向するように湾曲状を呈し、それらの挟持アーム５２における湾曲状の箇所の間に、挟持凹部５３と連通する小径口５４が形成される。また、その挟持ユニット５０は、細溝５１を介して枠体１０の第一蓋部１０１と第二蓋部１０２との間に挟設され、前記充電ケーブル４３は、小径口５４を通過して挟持アーム５２の間に位置決められる。
【００１４】
図１乃至図３に示すように、前記スイッチ６０は、スイッチ穴１３と対応するように枠体１０に設置されると共に、電気接続部材２０と端子モジュール３０及び充電モジュール４０との間に位置するように、電気接続部材２０と端子モジュール３０及び充電モジュール４０に電気接続されるので、該スイッチ６０を有すれば、電気接続部材２０と端子モジュール３０及び充電モジュール４０との通電又は不通電を切り替え制御することができる。
【００１５】
図１乃至図４に示すように、本考案に係るモバイルデバイスを充電できるテーブルタップを使用する時は、前記電気接続部材２０のプラグ２２をコンセントに差込めば、電気接続により電気製品を駆動することができる。
【００１６】
一方、そのモバイルデバイスを充電する時は、まず収納凹部１５にある充電ケーブル４３を挟持アーム５２から離脱させるように引き出し、充電ケーブル４３の充電ヘッド４４をモバイルデバイスのコンセントに挿し込めば充電を行うことができる。充電が完了した後は、充電ケーブル４３をモバイルデバイスから取り外して収納凹部１５に押し入れて挟持アーム５２により挟持すれば、充電ケーブル４３を収納凹部１５に安全に収納することができる。
【００１７】
本考案に係るモバイルデバイスを充電できるテーブルタップは、家でも、会社でも、旅行に行った時にも不可欠なものであり、充電ケーブル４３を有する充電モジュール４０と、端子モジュール３０と、枠体１０とを一体に構成するため、一般的な電気製品が端子モジュールを介して電源を入れることができると共に、モバイルデバイスでは充電モジュール及び枠体を介して電源を入れることもできる。したがって、本考案に係るモバイルデバイスを充電できるテーブルタップがあれば、わざわざモバイルデバイスの充電器を持って行かなくても、充電モジュール４０の充電ケーブル４３によって、モバイルデバイスを充電できるので、実用性に優れている。
【００１８】
さらに、図１に示すように、本実施例におけるプラグ２２は、２本の端子２２１を有するが、プラグの足の数に特に制限はない。すなわち、他の実施例に示されるように、３本の足を有するプラグであってもよく、その端子モジュールによれば、蓋部に３つのソケット孔が形成されると共に、該ソケット孔と対応するように第一端子、第二端子、第三端子を有してもよく、その端子モジュールにおける、第一端子、第二端子、第三端子はそれぞれ、間隔をおいて各ソケットフレームに差し込まれてワイヤを介してプラグの端子に電気接続される。
【００１９】
図５乃至図７に示すように、本実施例に係るモバイルデバイスを充電できるテーブルタップの第二実施例は、殆ど第一実施例と同一であるが、タイプが異なるものである。つまり本実施例は、枠体１０Ａと、電気接続部材２０Ａと、端子モジュール３０Ａと、充電モジュール４０Ａと、挟持ユニット５０Ａとを有し、その内、枠体１０Ａは、第一蓋部１０１Ａと、第二蓋部１０２Ａと、収容空間と、少なくとも２つのソケット１１Ａと、ＵＳＢ穴１２Ａと、第一凸縁１４１Ａ及び第二凸縁１４２Ａとを備えた保護構造１４Ａと、収納凹部１５Ａとを備え、該電気接続部材２０Ａは、２本の端子２２１Ａを備え、それらの端子２２１Ａは間隔をおいて設けられると共に、枠体１０Ａの第二蓋部１０２Ａに貫設され、該端子モジュール３０Ａは、第一端子３３Ａ及び第二端子３４Ａを備え、それら第一端子３３Ａ及び第二端子３４Ａは間隔をおいて設けられると共に、それぞれ端子２２１Ａに電気接続され、且つソケット１１Ａと対応するように設置される。該充電モジュール４０Ａは、基板部材４１Ａと、ＵＳＢポート４２Ａと、充電ケーブル４３Ａとを備え、該充電ケーブル４３Ａに充電ヘッド４４Ａが設置され、該充電ケーブル４３Ａ及び充電ヘッド４４Ａは、着脱可能に収納凹部１５Ａに収納される。該挟持ユニット５０Ａは、細溝５１Ａと、挟持アーム５２Ａと、挟持凹部５３Ａと、小径口５４Ａとを備え、該充電ケーブル４３Ａは小径口５４Ａを通過して挟持アーム５２Ａに挟持される。このような構成を有することから、本実施例に係るモバイルデバイスを充電できるテーブルタップは、電源タップとして使用することができる。
【符号の説明】
【００２０】
１０、１０Ａ          枠体
１０１、１０１Ａ      第一蓋部
１０２、１０２Ａ      第二蓋部
１１、１１Ａ          ソケット
１２、１２Ａ          ＵＳＢ穴
１３                  スイッチ穴
１４、１４Ａ          保護構造
１４１、１４１Ａ      第一凸縁
１４２、１４２Ａ      第二凸縁
１５、１５Ａ          収納凹部
２０、２０Ａ          電気接続部材
２１                  ワイヤ
２２                  プラグ
２２１、２２１Ａ      端子
３０、３０Ａ          端子モジュール
３１                  ソケットフレーム
３２                  蓋部
３２１                ソケット孔
３３、３３Ａ          第一端子
３４、３４Ａ          第二端子
４０、４０Ａ          充電モジュール
４１、４１Ａ          基板部材
４２、４２Ａ          ＵＳＢポート
４３、４３Ａ          充電ケーブル
４４、４４Ａ          充電ヘッド
５０、５０Ａ          挟持ユニット
５１、５１Ａ          細溝
５２、５２Ａ          挟持アーム
５３、５３Ａ          挟持凹部
５４、５４Ａ          小径口
６０                  スイッチ
【図１】
0003197970.tif 000003
【図２】
0003197970.tif 000004
【図３】
0003197970.tif 000005
【図４】
0003197970.tif 000006
【図５】
0003197970.tif 000007
【図６】
0003197970.tif 000008
【図７】
0003197970.tif 000009